(57)【要約】  エレベータの動作に応じて、エレベータの乗場又はかごに設けられたモニタに様々な映像を表示させる際に、モニタの画面調整の手間を省きつつ、画面の誤調整を防止することができるエレベータの表示制御装置を提供する。このため、エレベータの動作に関する情報が入力され、エレベータの動作に応じて、複数の映像入力装置の各々から入力された複数の映像の中から特定の映像を選択して、エレベータの乗場又はかごに設けられたモニタに表示させる映像を切り換える表示切換制御部と、予め設定されているモニタの画面調整の要否に基づいて、表示切換制御部に選択されてモニタに表示される映像に対する画面調整の要否を判断する画面調整部と、を備える構成とした。
2011074073.tif 000002
【特許請求の範囲】
【請求項１】
エレベータの動作に関する情報が入力され、前記エレベータの動作に応じて、複数の映像入力装置の各々から入力された複数の映像の中から特定の映像を選択して、前記エレベータの乗場又はかごに設けられたモニタに表示させる映像を切り換える表示切換制御部と、
予め設定されている前記モニタの画面調整の要否に基づいて、前記表示切換制御部に選択されて前記モニタに表示される映像に対する画面調整の要否を判断する画面調整部と、
を備えたことを特徴とするエレベータの表示制御装置。
【請求項２】
前記画面調整部は、前記画面調整の要否の判断を、前記複数の映像毎に行うことを特徴とする請求項１記載のエレベータの表示制御装置。
【請求項３】
前記画面調整部は、前記画面調整の要否の判断を、前記複数の映像入力装置毎に行うことを特徴とする請求項１記載のエレベータの表示制御装置。
【請求項４】
前記画面調整部は、前記画面調整の要否の判断を、前記エレベータの動作毎に行うことを特徴とする請求項１記載のエレベータの表示制御装置。
【請求項５】
前記画面調整部は、前記画面調整の要否の判断として、前記表示切換制御部に選択された映像の映像有効領域に関する調整の要否及び前記表示切換制御部に選択された映像を前記モニタの表示領域の大きさに合わせる調整の要否の少なくとも一方を判断することを特徴とする請求項１記載のエレベータの表示制御装置。
【請求項６】
前記画面調整部は、前記映像有効領域のアスペクト比と前記モニタの表示領域のアスペクト比が違う場合は、前記映像有効領域の縁部を削除して、前記映像有効領域のアスペクト比を前記モニタのアスペクト比に合わせる調整を行うことを特徴とする請求項５記載のエレベータの表示制御装置。
【請求項７】
前記画面調整部は、前記映像有効領域のアスペクト比と前記モニタの表示領域のアスペクト比が違う場合は、前記映像有効領域の縁部に帯を付加して、前記映像有効領域のアスペクト比を前記モニタのアスペクト比に合わせる調整を行うことを特徴とする請求項５記載のエレベータの表示制御装置。
【請求項８】
前記表示切換制御部が映像を選択する度に、前記画面調整部が必要に応じて映像有効領域の調整を行った映像に対して、前記モニタの表示領域の大きさに合わせる調整を行う映像拡縮処理部、
を備えたことを特徴とする請求項５記載のエレベータの表示制御装置。
【請求項９】
前記表示切換制御部は、前記モニタに表示させる映像として複数の映像を選択し、
前記画面調整部は、前記表示切換制御部が複数の映像を選択した場合は、前記表示切換制御部に選択された複数の映像が前記モニタの表示領域に同時に表示されるように、前記選択された複数の映像の大きさを調整することを特徴とする請求項５記載のエレベータの表示制御装置。
【発明の詳細な説明】
【技術分野】
【０００１】
この発明は、エレベータの乗場やかごに設けられたモニタに映像を表示させるエレベータの表示制御装置に関するものである。
【背景技術】
【０００２】
近年、エレベータの乗場やかごに設けられたモニタには、エレベータの動作に応じて、かご位置や運行方向等のエレベータ情報映像、放送映像、ＤＶＤ映像、防犯カメラ映像等の様々な種類のものが表示されている。これらの表示により、多彩な情報を提供することができる。これにより、エレベータの利用者には、快適な環境が与えられる。【０００３】
一般的に、これらの映像は、テレビ信号でモニタに伝送される。そして、各々の映像入力装置から入力されたテレビ信号に基づいた表示を行っているモニタを目視で確認して映像の有効部分と無効部分とが判断される。かかる判断に基づいて、映像の表示の大きさや表示位置が手動で調整される。【０００４】
これに対し、テレビ信号を表示するテレビ装置においては、映像の有効部分と無効部分（上下に付加された黒帯表示等）を自動で判別し、無効部分を表示させないようにする技術が確立されている（例えば、特許文献１及び２参照）。
【先行技術文献】
【特許文献】
【０００５】
【特許文献１】日本特開平７−１６２７５１号公報
【特許文献２】日本特開２００６−２２９７８１号公報
【発明の概要】
【発明が解決しようとする課題】
【０００６】
しかし、上記テレビ装置の自動判別機能をエレベータの表示制御装置に適用すると、例えば、黒の背景に白地で階床名及び方向灯を表示させたエレベータ情報画面を表示させたい場合、背景として表示させたい黒い部分までが無効部分と判定されてしまうという問題があった。【０００７】
この発明は、上述のような課題を解決するためになされたもので、その目的は、エレベータの動作に応じて、エレベータの乗場又はかごに設けられたモニタに様々な映像を表示させる際に、モニタの画面調整の手間を省きつつ、画面の誤調整を防止することができるエレベータの表示制御装置を提供することである。
【課題を解決するための手段】
【０００８】
この発明に係るエレベータの表示制御装置は、エレベータの動作に関する情報が入力され、前記エレベータの動作に応じて、複数の映像入力装置の各々から入力された複数の映像の中から特定の映像を選択して、前記エレベータの乗場又はかごに設けられたモニタに表示させる映像を切り換える表示切換制御部と、予め設定されている前記モニタの画面調整の要否に基づいて、前記表示切換制御部に選択されて前記モニタに表示される映像に対する画面調整の要否を判断する画面調整部と、を備えたものである。
【発明の効果】
【０００９】
この発明によれば、エレベータの動作に応じて、エレベータの乗場又はかごに設けられたモニタに様々な映像を表示させる際に、モニタの画面調整の手間を省きつつ、画面の誤調整を防止することができる。
【図面の簡単な説明】
【００１０】
【図１】この発明の実施の形態１におけるエレベータの表示制御装置が利用されるエレベータの要部を示すブロック図である。
【図２】この発明の実施の形態１におけるエレベータの表示制御装置によるモニタの画面調整方法を説明するための図である。
【図３】この発明の実施の形態１におけるエレベータの表示制御装置の画面調整部の動作を説明するためのフローチャートである。
【図４】この発明の実施の形態１におけるエレベータの表示制御装置の一連の動作を説明するためのフローチャートである。
【図５】この発明の実施の形態２におけるエレベータの表示制御装置によるモニタの画面調整方法を説明するための図である。
【図６】この発明の実施の形態２におけるエレベータの表示制御装置の画面調整部の動作を説明するためのフローチャートである。
【図７】この発明の実施の形態３におけるエレベータの表示制御装置が利用されるエレベータの要部を示すブロック図である。
【図８】この発明の実施の形態３におけるエレベータの表示制御装置の一連の動作を説明するためのフローチャートである。
【発明を実施するための形態】
【００１１】
この発明を実施するための形態について添付の図面に従って説明する。なお、各図中、同一又は相当する部分には同一の符号を付しており、その重複説明は適宜に簡略化ないし省略する。
【００１２】
実施の形態１．
図１はこの発明の実施の形態１におけるエレベータの表示制御装置が利用されるエレベータの要部を示すブロック図である。
図１において、１はモニタである。このモニタ１は、高層ビル等に設置されたエレベータの乗場やかごに設けられる。このモニタ１は、表示領域に映像を表示させる機能を備える。
【００１３】
２はエレベータ情報管理部である。このエレベータ情報管理部２は、エレベータを制御する制御盤に設けられる。このエレベータ情報管理部２は、エレベータのかごの位置や運行方向等、エレベータの動作を管理する機能を備える。３は複数の映像入力装置である。これらの映像入力装置３は、テレビの放送映像、ＤＶＤ映像、防犯カメラ映像、様々な種類の映像を取得する機能を備える。
【００１４】
４は表示制御装置である。この表示制御装置４は、エレベータ情報管理部２から入力されたエレベータの動作に関する情報が入力される機能を備える。そして、表示制御装置４は、エレベータの動作に応じて、複数の映像入力装置３から入力された映像の中から特定の映像を選択してモニタ１に表示させる機能を備える。以下、表示制御装置４についてより詳細に説明する。
【００１５】
表示制御装置４は、表示映像設定部５、表示映像選択部６、表示切換制御部７、画面調整部８を備える。表示映像設定部５は、エレベータの動作の種類とモニタ１に表示させる映像の種類が対応付けて設定される機能を備える。また、表示映像設定部５は、映像の種類毎にモニタ１に表示させる際の画面調整の要否が設定される機能を備える。
【００１６】
表示映像選択部６は、エレベータ情報管理部２からエレベータの動作に関する情報が入力される機能を備える。また、表示映像選択部６は、入力されたエレベータの動作に対応付けられた映像の種類に関する情報と画面調整の要否に関する情報とを表示映像設定部５から検出する機能を備える。
【００１７】
表示切換制御部７は、複数の映像入力装置３から映像信号が入力される機能を備える。また、表示切換制御部７は、表示映像選択部６が検出した映像の種類に関する情報と画面調整の要否に関する情報とが入力される機能を備える。さらに、表示切換制御部７は、表示映像選択部６が検出した映像の種類に関する情報に基づいて、複数の映像入力装置３から入力された映像の中から特定の映像を選択してモニタ１に表示させる機能を備える。
【００１８】
画面調整部８は、映像有効領域検出部９、映像有効領域記憶部１０、映像有効領域調整部１１、映像拡縮処理部１２を備える。映像有効領域検出部９は、表示切換制御部７が選択した映像信号と当該映像に対応した画面調整の要否に関する情報とが入力される機能を備える。また、映像有効領域検出部９は、入力された映像の映像有効領域を検出する機能を備える。映像有効領域記憶部１０は、映像有効領域検出部９に検出された映像有効領域と画面調整の要否に関する情報とを記憶する機能を備える。
【００１９】
映像有効領域調整部１１は、映像有効領域記憶部１０に記憶された映像有効領域のアスペクト比を算出する機能を備える。また、映像有効領域調整部１１は、映像有効領域のアスペクト比がモニタ１の表示領域のアスペクト比と違う場合に、映像有効領域のアスペクト比をモニタ１の表示領域のアスペクト比に合わせる機能を備える。さらに、映像有効領域調整部１１は、調整後の映像有効領域を映像有効領域記憶部１０に上書きする機能を備える。映像拡縮処理部１２は、映像有効領域記憶部１０に画面調整が必要である旨の情報が記憶されている場合に、映像有効領域記憶部１０に記憶された映像有効領域の大きさをモニタ１の表示領域の大きさに合わせる機能を備える。
【００２０】
次に、図２を用いて、画面調整部８でのモニタ１の画面調整方法をより詳細に説明する。
図２はこの発明の実施の形態１におけるエレベータの表示制御装置によるモニタの画面調整方法を説明するための図である。
一例として、映像有効領域検出部９に検出された映像有効領域の大きさが７２０ｐｘ＊４８０ｐｘで、モニタ１の表示領域の大きさが３２０ｐｘ＊２４０ｐｘの場合を考える。
【００２１】
この場合、映像有効領域のアスペクト比は３：２である。一方、モニタ１の表示領域のアスペクト比は４：３である。具体的には、映像有効領域は、モニタ１に対し、相対的に水平方向に長い。この場合、映像有効領域は、映像有効領域調整部１１により、垂直方向を基準にしてアスペクト比が調整される。即ち、映像有効領域の水平方向が６８０ｐｘとなるように調整される。具体的には、映像有効領域の中心が維持されるように、映像有効領域の左右両側が２０ｐｘずつ削除される。これにより、映像有効領域のアスペクト比がモニタ１の表示領域のアスペクト比に合うようになる。
【００２２】
しかし、このままでは、調整後の映像有効領域は、モニタ１の表示領域よりも大きい。そこで、映像拡縮処理部１２により、調整後の映像有効領域の大きさがモニタ１の表示領域の大きさと同じになるように調整される。具体的には、調整後の映像有効領域の水平方向及び垂直方向が同じ比率で縮尺される。これにより、映像は、痩せたり間延びしたりせず正しくモニタ１に表示される。
【００２３】
次に、図３を用いて、画面調整部８の動作をより詳細に説明する。
図３はこの発明の実施の形態１におけるエレベータの表示制御装置の画面調整部の動作を説明するためのフローチャートである。
まず、ステップＳ１では、映像有効領域検出部９により、映像有効領域が検出され、ステップＳ２に進む。
【００２４】
ステップＳ２では、映像有効領域記憶部１０により、検出された映像有効領域が記憶され、ステップＳ３に進む。ステップＳ３では、映像有効領域調整部１１により、モニタ１の表示領域のアスペクト比と映像有効領域のアスペクト比が比較され、ステップＳ４に進む。ステップＳ４では、映像有効領域調整部１１により、両者のアスペクト比が違うか否かが判断される。両者のアスペクト比が同じ場合は、動作が終了する。
【００２５】
これに対し、映像有効領域の比率がモニタ１の表示領域の比率よりも縦長の場合は、ステップＳ５に進む。ステップＳ５では、映像有効領域調整部１１により、映像有効領域のアスペクト比がモニタ１の表示領域のアスペクト比に合うように垂直方向の映像有効領域が調整される。具体的には、映像有効領域の上下が削除される。その後、ステップＳ６に進み、映像有効領域調整部１１により、映像有効領域記憶部１０に記憶された映像有効領域が更新され、動作が終了する。
【００２６】
一方、ステップＳ４で映像有効領域の比率がモニタ１の表示領域の比率よりも横長の場合は、ステップＳ７に進む。ステップＳ７では、映像有効領域調整部１１により、映像有効領域のアスペクト比がモニタ１の表示領域のアスペクト比に合うように水平方向の映像有効領域が調整される。具体的には、映像有効領域の左右が削除される。その後、ステップＳ６に進み、映像有効領域調整部１１により、映像有効領域記憶部１０に記憶された映像有効領域が更新され、動作が終了する。
【００２７】
次に、図４を用いて、表示制御装置４の一連の動作を説明する。
図４はこの発明の実施の形態１におけるエレベータの表示制御装置の一連の動作を説明するためのフローチャートである。
まず、ステップＳ１１で、エレベータ情報管理部２により、エレベータ情報が送信され、ステップＳ１２に進む。ステップＳ１２では、表示映像選択部６により、モニタ１に表示させる映像の設定に関する情報が取得され、ステップＳ１３に進む。
【００２８】
ステップＳ１３では、表示映像選択部６により、モニタ１に表示させる映像が決定され、ステップＳ１４に進む。ステップＳ１４では、表示切換制御部７により、モニタ１に表示させる映像を切り換えるか否かが判断される。映像を切り換える場合は、ステップＳ１５に進む。ステップＳ１５では、表示切換制御部７により、決定された映像に対応した映像入力装置３からの映像信号がモニタ１に出力されるように切り換えられ、ステップＳ１６に進む。ステップＳ１６では、映像有効領域検出部９により、選択された映像の画面調整の要否が判断される。
【００２９】
画面調整が必要な場合は、ステップＳ１７に進む。ステップＳ１７では、映像有効領域検出部９により映像有効領域が検出された後、映像有効調整部１１により映像有効領域の調整が行われ、ステップＳ１８に進む。ステップＳ１８では、映像拡縮処理部１２により、調整後の映像有効領域の大きさをモニタ１の表示領域の大きさに合わせる拡縮処理がなされ、ステップＳ１９に進む。ステップＳ１９では、映像拡縮処理部１２により、拡縮処理後の映像がモニタ１に出力される。
【００３０】
これに対し、ステップＳ１６で画面調整が不要な場合は、ステップＳ１７及びＳ１８を経由せずに、ステップＳ１９に進む。即ち、この場合は、映像有効領域の検出や調整、モニタ１の表示領域に合わせた拡縮処理をせずに、表示切換制御部７が出力した映像がそのままモニタ１に出力される。なお、ステップＳ１４で映像を切り換えない場合は、ステップＳ１９で現状の映像がモニタ１に出力される。
【００３１】
以上で説明した実施の形態１によれば、複数の映像毎に予め設定されている条件に基づいて、表示切換制御部７に選択されてモニタ１に表示される映像に対する画面調整の要否が判断される。このため、例えば、背景として表示させたい黒い部分までを無効部分と判定してしまうという誤調整を防止することができる。即ち、エレベータの動作に応じて、モニタ１に様々な映像を表示させる際に、モニタ１の画面調整の手間を省きつつ、画面の誤調整を防止することができる。
【００３２】
また、各々の映像入力装置３についての画面調整結果をパラメータとして記憶しておく必要がなくなる。このため、メモリの節約にも繋がる。さらに、画面調整の手間を省いて柔軟な設定が可能となるため、映像入力装置３の変更や表示内容の変更も容易に行うことができる。
【００３３】
さらに、映像有効領域のアスペクト比とモニタ１の表示領域のアスペクト比が違う場合は、映像有効領域の縁部が削除されて、映像有効領域のアスペクト比とモニタ１のアスペクト比とが合うように調整される。このため、痩せたり間延びしたりしていない正しい映像をモニタ１に表示することができる。
【００３４】
なお、本実施の形態においては、表示切換制御部７に選択された映像の映像有効領域に関する調整の要否及び表示切換制御部７に選択された映像をモニタ１の表示領域の大きさに合わせる調整の要否を判断する構成となっていた。しかし、表示切換制御部７に選択された映像の映像有効領域に関する調整の要否及び表示切換制御部７に選択された映像をモニタ１の表示領域の大きさに合わせる調整の要否の少なくとも一方を判断する構成としてもよい。
【００３５】
実施の形態２．
図５はこの発明の実施の形態２におけるエレベータの表示制御装置によるモニタの画面調整方法を説明するための図である。なお、実施の形態１と同一又は相当部分には同一符号を付して説明を省略する。
【００３６】
実施の形態１においては、映像有効領域の縁部を削除して、映像有効領域のアスペクト比をモニタ１のアスペクト比に合わせるようにしていた。一方、実施の形態２においては、映像有効領域の縁部に帯を付加して、映像有効領域のアスペクト比をモニタ１のアスペクト比に合わせるようになっている。
【００３７】
一例として、図５に示すように、映像有効領域検出部９に検出された映像有効領域の大きさが７２０ｐｘ＊４８０ｐｘで、モニタ１の表示領域の大きさが３２０ｐｘ＊２４０ｐｘの場合を考える。この場合、映像有効領域のアスペクト比は３：２である。一方、モニタ１の表示領域のアスペクト比は４：３である。具体的には、映像有効領域は、モニタ１に対し、相対的に垂直方向に長い。
【００３８】
この場合、映像有効領域は、映像有効領域調整部１１により、水平方向を基準にしてアスペクト比が調整される。即ち、映像有効領域の垂直方向が５４０ｐｘとなるように調整される。具体的には、映像有効領域の上下両側に３０ｐｘの帯が付加される。これにより、映像有効領域のアスペクト比がモニタ１の表示領域のアスペクト比に合うようになる。
【００３９】
次に、図６を用いて、画面調整部８の動作をより詳細に説明する。
図６はこの発明の実施の形態２におけるエレベータの表示制御装置の画面調整部の動作を説明するためのフローチャートである。
まず、ステップＳ２１では、映像有効領域検出部９により、映像有効領域が検出され、ステップＳ２２に進む。
【００４０】
ステップＳ２２では、映像有効領域記憶部１０により、検出された映像有効領域が記憶され、ステップＳ２３に進む。ステップＳ２３では、映像有効領域調整部１１により、モニタ１の表示領域のアスペクト比と映像有効領域のアスペクト比が比較され、ステップＳ２４に進む。ステップＳ２４では、映像有効領域調整部１１により、両者のアスペクト比が違うか否かが判断される。両者のアスペクト比が同じ場合は、動作が終了する。
【００４１】
これに対し、映像有効領域の比率がモニタ１の表示領域の比率よりも縦長の場合は、ステップＳ２５に進む。ステップＳ２５では、映像有効領域調整部１１により、映像有効領域のアスペクト比がモニタ１の表示領域のアスペクト比に合うように水平方向の映像有効領域が調整される。具体的には、映像有効領域の左右に帯が付加される。その後、ステップＳ２６に進み、映像有効領域調整部１１により、映像有効領域記憶部１０に記憶された映像有効領域が更新され、動作が終了する。
【００４２】
一方、ステップＳ２４で映像有効領域の比率がモニタ１の表示領域の比率よりも横長の場合は、ステップＳ２７に進む。ステップＳ２７では、映像有効領域調整部１１により、映像有効領域のアスペクト比がモニタ１の表示領域のアスペクト比に合うように垂直方向の映像有効領域が調整される。具体的には、映像有効領域の上下に帯が付加される。その後、ステップＳ２６に進み、映像有効領域調整部１１により、映像有効領域記憶部１０に記憶された映像有効領域が更新され、動作が終了する。
【００４３】
以上で説明した実施の形態２によれば、映像有効領域のアスペクト比とモニタ１の表示領域のアスペクト比が違う場合は、映像有効領域の縁部に帯が付加されて、映像有効領域のアスペクト比とモニタ１のアスペクト比とが合うように調整される。このため、痩せたり間延びしたりしていない正しい映像をモニタ１に表示することができる。
【００４４】
実施の形態３．
図７はこの発明の実施の形態３におけるエレベータの表示制御装置が利用されるエレベータの要部を示すブロック図である。なお、実施の形態１と同一又は相当部分には同一符号を付して説明を省略する。
【００４５】
実施の形態１においては、画面調整が不要と判断された場合は、何の処理も行われていない映像をモニタ１に表示する構成となっていた。一方、実施の形態３においては、表示切換制御部７が映像を選択する度に、必要に応じて映像有効領域の調整が行われた映像に対して、モニタ１の表示領域の大きさに合わせる調整を行う構成となっている。
【００４６】
具体的には、図７に示すように、実施の形態３においては、映像拡縮処理部１３が、画面調整部８ではなく、映像切換制御部７とモニタ１との間に設けられている。かかる映像拡縮処理部１３が、映像切換制御部７に選択された映像に対し、モニタ１の表示領域の大きさに合わせる調整を行うようになっている。
【００４７】
次に、図８を用いて、表示制御装置４の一連の動作を説明する。
図８はこの発明の実施の形態３におけるエレベータの表示制御装置の一連の動作を説明するためのフローチャートである。
まず、ステップＳ３１で、エレベータ情報管理部２により、エレベータ情報が送信され、ステップＳ３２に進む。ステップＳ３２では、表示映像選択部６により、モニタ１に表示させる映像の設定に関する情報が取得され、ステップＳ３３に進む。
【００４８】
ステップＳ３３では、表示映像選択部６により、モニタ１に表示させる映像が決定され、ステップＳ３４に進む。ステップＳ３４では、表示切換制御部７により、モニタ１に表示させる映像を切り換えるか否かが判断される。映像を切り換える場合は、ステップＳ３５に進む。ステップＳ３５では、表示切換制御部７により、決定された映像に対応した映像入力装置３からの映像信号がモニタ１に出力されるように切り換えられ、ステップＳ３６に進む。ステップＳ３６では、映像有効領域検出部９により、選択された映像の画面調整の要否が判断される。
【００４９】
画面調整が必要な場合は、ステップＳ３７に進む。ステップＳ３７では、映像有効領域検出部９により映像有効領域が検出された後、映像有効調整部１１により映像有効領域の調整が行われ、ステップＳ３８に進む。ステップＳ３８では、映像拡縮処理部１３により、調整後の映像有効領域の大きさをモニタ１の表示領域の大きさに合わせる拡縮処理がなされ、ステップＳ３９に進む。ステップＳ３９では、映像拡縮処理部１３により、拡縮処理後の映像がモニタ１に出力される。
【００５０】
これに対し、ステップＳ３６で画面調整が不要な場合は、ステップＳ３７を経由せずに、ステップＳ３８に進む。ステップＳ３８では、映像拡縮処理部１３により、無調整の映像有効領域の大きさをモニタ１の表示領域の大きさに合わせる拡縮処理がなされ、ステップＳ３９に進む。ステップＳ３９では、映像拡縮処理部１３により、拡縮処理後の映像がモニタ１に出力される。なお、ステップＳ３４で映像を切り換えない場合は、ステップＳ１９で現状の映像がモニタ１に出力される。
【００５１】
以上で説明した実施の形態３によれば、表示切換制御部７が映像を選択する度に、画面調整部８が必要に応じて映像有効領域の調整を行った映像に対して、モニタ１の表示領域の大きさに合わせる調整が行われる。このため、映像有効領域の調整を行う機器が故障しても、適切な大きさの映像をモニタ１に表示することができる。
【００５２】
なお、実施の形態１〜３においては、画面調整の要否の判断を、複数の映像毎に行う構成となっていた。しかし、画面調整の要否の判断を、複数の映像入力装置３毎に行う構成としてもよい。例えば、複数の防犯カメラＡ〜Ｆが設置されている場合、カメラＡ及びＢについては画面調整を必要とし、カメラＣ〜Ｆについては画面調整を不要とする構成にしてもよい。
【００５３】
また、画面調整の要否の判断を、エレベータの動作毎に行う構成としてもよい。例えば、エレベータの走行中は画面調整を必要とし、エレベータの停止中は画面調整を不要とする構成にしてもよい。
【００５４】
さらに、映像拡縮処理部１２、１３は、映像の大きさが任意の大きさになるように調整してもよい。特に、表示切換制御部７が複数の映像を選択し、画面調整部８が複数の映像が同時にモニタ１の表示領域に表示されるように複数の映像の大きさを調整すれば、エレベータの利用者に対し、より多くの情報を同時に与えることができる。
【産業上の利用可能性】
【００５５】
以上のように、この発明に係るエレベータの表示制御装置によれば、乗場やかごに設けられたモニタに映像を表示させるエレベータに利用できる。
【符号の説明】
【００５６】
１  モニタ、  ２  エレベータ情報管理部、  ３  映像入力装置、
４  表示制御装置、  ５  表示映像設定部、  ６  表示映像選択部、
７  表示切換制御部、  ８  画面調整部、  ９  映像有効領域検出部、
１０  映像有効領域記憶部、  １１  映像有効領域調整部、  
１２、１３  映像拡縮処理部、
【図１】
2011074073.tif 000003
【図２】
2011074073.tif 000004
【図３】
2011074073.tif 000005
【図４】
2011074073.tif 000006
【図５】
2011074073.tif 000007
【図６】
2011074073.tif 000008
【図７】
2011074073.tif 000009
【図８】
2011074073.tif 000010
【国際調査報告】
2011074073.tif 000011
2011074073.tif 000012
2011074073.tif 000013
2011074073.tif 000014